(57)【要約】【課題】複数の種別を持つ消耗品に対して、適正な寿命管理をする。【解決手段】現像カートリッジは、現像ローラと現像メモリとを備える。現像メモリは、現像カートリッジの複数の種別の中から特定の種別を識別する現像識別情報を記憶する第１現像記憶領域と、現像カートリッジを用いて印刷された現像累積印刷枚数、累積現像ローラ回転数および累積ドットカウントの少なくとも１つを記憶させる第２現像記憶領域と、を有する。現像カートリッジは、現像識別情報と対応する印刷の上限枚数を表す現像上限印刷枚数、現像ローラの回転数の上限回数を表す上限現像ローラ回転数および印刷可能な上限のドット数を表す上限ドットカウントの少なくとも１つと、第２現像記憶領域に記憶された現像累積印刷枚数、累積現像ローラ回転数および累積ドットカウントの少なくとも１つと、を用いて、現像カートリッジの寿命に到達したかを判定可能である（Ｓ１５〜Ｓ１７）。【選択図】図７
2020160414.tif 000002
【特許請求の範囲】
【請求項１】
現像カートリッジであって、
現像ローラと、
現像メモリであって、
前記現像カートリッジの種別を識別する現像識別情報であって、前記現像カートリッジの複数の種別の中から特定の種別を識別する現像識別情報を記憶する第１現像記憶領域と、
前記第１現像記憶領域と異なる第２現像記憶領域であって、前記現像カートリッジを用いて印刷された現像累積印刷枚数、累積現像ローラ回転数および累積ドットカウントの少なくとも１つを記憶させることを許容する第２現像記憶領域と、
を有する現像メモリと、
を備え、
前記現像識別情報と対応する印刷の上限枚数を表す現像上限印刷枚数、現像ローラの回転数の上限回数を表す上限現像ローラ回転数および印刷可能な上限のドット数を表す上限ドットカウントの少なくとも１つと、前記第２現像記憶領域に記憶された前記現像累積印刷枚数、前記累積現像ローラ回転数および前記累積ドットカウントの少なくとも１つと、を用いて、前記現像カートリッジが寿命に到達したかを判定可能であることを特徴とする現像カートリッジ。
【請求項２】
前記現像上限印刷枚数、前記上限現像ローラ回転数および前記上限ドットカウントと、前記現像累積印刷枚数、前記累積現像ローラ回転数および前記累積ドットカウントと、を用いて前記現像カートリッジの寿命に到達したかを判定可能であることを特徴とする請求項１に記載の現像カートリッジ。
【請求項３】
画像形成装置であって、
装置本体と、
前記装置本体に対して装着可能な現像カートリッジであって、
現像ローラと、
前記現像カートリッジの種別を識別する現像識別情報であって、前記現像カートリッジの複数の種別の中から特定の種別を識別する現像識別情報を記憶する第１現像記憶領域と、前記第１現像記憶領域とは異なる第２現像記憶領域とを有する現像メモリと、
を有する現像カートリッジと、
複数の前記現像識別情報を記憶する本体メモリであって、前記複数の現像識別情報のそれぞれに対して、印刷の上限枚数を表す現像上限印刷枚数、前記現像ローラの回転数の上限回数を表す上限現像ローラ回転数および印刷可能な上限のドットカウントを表す上限ドットカウントの少なくとも１つを対応付けて記憶する本体メモリと、
制御装置と、を備え、
前記制御装置は、
前記現像カートリッジを用いて印刷された現像累積印刷枚数、累積現像ローラ回転数および累積ドットカウントの少なくとも１つを前記第２現像記憶領域に記憶させる記憶処理と、
前記現像メモリに記憶された前記現像識別情報を読み出す読出処理と、
前記本体メモリに記憶された前記複数の現像識別情報の中から、読み出された前記現像識別情報に対応する前記現像上限印刷枚数、前記上限現像ローラ回転数および前記上限ドットカウントの少なくとも１つと、前記第２現像記憶領域に記憶された前記現像累積印刷枚数、前記累積現像ローラ回転数および前記累積ドットカウントの少なくとも１つを用いて、前記現像カートリッジが寿命に到達したかを判定する判定処理と、
を実行可能であることを特徴とする画像形成装置。
【請求項４】
前記本体メモリには、前記複数の現像識別情報のそれぞれに対して、前記現像上限印刷枚数、前記上限現像ローラ回転数および前記上限ドットカウントを対応付けて記憶され、
前記制御装置は、前記判定処理において、前記現像上限印刷枚数、前記上限現像ローラ回転数および前記上限ドットカウントと、前記第２現像記憶領域に記憶された前記現像累積印刷枚数、前記累積現像ローラ回転数および前記累積ドットカウントと、を用いて前記現像カートリッジが寿命に到達したかを判定することを特徴とする請求項３に記載の画像形成装置。
【請求項５】
前記制御装置は、前記判定処理において、前記現像累積印刷枚数が前記現像上限印刷枚数を超えた場合、前記累積現像ローラ回転数が前記上限現像ローラ回転数を超えた場合および前記累積ドットカウントが前記上限ドットカウントを超えた場合の少なくとも１つを判定した場合に前記現像カートリッジが寿命に達したとするエラーとすることを特徴とする請求項４に記載に画像形成装置。
【請求項６】
前記制御装置は、前記本体メモリに記憶された前記複数の現像識別情報の中に、読み出された前記現像識別情報が無い場合にエラーとすることを特徴とする請求項３から請求項５のいずれか１項に記載の画像形成装置。
【請求項７】
前記画像形成装置は、さらに、ディスプレイを備え、
前記制御装置は、前記判定処理によりエラーとされた場合、前記ディスプレイに、エラーに関する情報を表示させることを特徴とする請求項５または請求項６に記載の画像形成装置。
【請求項８】
前記装置本体に対して装着可能なドラムカートリッジであって、
感光体ドラムと、
前記ドラムカートリッジの種別を識別するドラム識別情報であって、前記ドラムカートリッジの複数の種別の中から特定の種別を識別するドラム識別情報を記憶する第１ドラム記憶領域と、前記第１ドラム記憶領域とは異なる第２ドラム記憶領域とを有するドラムメモリと、
を備えるドラムカートリッジと、をさらに備え、
前記本体メモリには、
複数の前記ドラム識別情報が記憶され、
前記複数のドラム識別情報のそれぞれに対して、印刷の上限枚数を表すドラム上限印刷枚数および前記感光体ドラムの回転数の上限回数を表す上限ドラム回転数の少なくとも１つが対応付けて記憶され、
前記制御装置は、
前記ドラムカートリッジを用いて印刷されたドラム累積印刷枚数および累積ドラム回転数の少なくとも１つを前記第２ドラム記憶領域に記憶させる記憶処理と、
前記ドラムメモリに記憶された前記ドラム識別情報を読み出す読出処理と、
前記本体メモリに記憶された前記複数のドラム識別情報の中から、読み出された前記ドラム識別情報に対応する前記ドラム上限印刷枚数および前記上限ドラム回転数の少なくとも１つと、前記第２ドラム記憶領域に記憶された前記ドラム累積印刷枚数および前記累積ドラム回転数の少なくとも１つと、を用いて、前記ドラムカートリッジが寿命に到達したかを判定する判定処理と、
を実行可能であることを特徴とする請求項３から請求項７のいずれか１項に記載の画像形成装置。
【請求項９】
前記装置本体に対して装着可能なベルトユニットであって、
ベルトと、
前記ベルトユニットの種別を識別するベルト識別情報であって、前記ベルトユニットの複数の種別の中から特定の種別を識別するベルト識別情報を記憶する第１ベルト記憶領域と、前記第１ベルト記憶領域とは異なる第２ベルト記憶領域とを有するベルトメモリと、
を備えるベルトユニットと、をさらに備え、
前記本体メモリには、
複数の前記ベルト識別情報が記憶され、
前記複数のベルト識別情報のそれぞれに対して、印刷の上限枚数を表すベルト上限印刷枚数および前記ベルトの回転数の上限回数を表す上限ベルト回転数の少なくとも１つが対応付けて記憶され、
前記制御装置は、
前記ベルトユニットを用いて印刷されたベルト累積印刷枚数および累積ベルト回転数の少なくとも１つを前記第２ベルト記憶領域に記憶させる記憶処理と、
前記ベルトメモリに記憶された前記ベルト識別情報を読み出す読出処理と、
前記本体メモリに記憶された前記複数のベルト識別情報の中から、読み出された前記ベルト識別情報に対応する前記ベルト上限印刷枚数および前記上限ベルト回転数の少なくとも１つと、前記第２ベルト記憶領域に記憶された前記ベルト累積印刷枚数および前記累積ベルト回転数の少なくとも１つと、を用いて、前記ベルトユニットが寿命に到達したかを判定する判定処理と、
を実行可能であることを特徴とする請求項３から請求項８のいずれか１項に記載の画像形成装置。
【請求項１０】
ドラムカートリッジであって、
感光体ドラムと、
ドラムメモリであって、
前記ドラムカートリッジの種別を識別するドラム識別情報であって、前記ドラムカートリッジの複数の種別の中から特定の種別を識別するドラム識別情報を記憶する第１ドラム記憶領域と、
前記第１ドラム記憶領域とは異なる第２ドラム記憶領域であって、前記ドラムカートリッジを用いて印刷されたドラム累積印刷枚数および累積ドラム回転数の少なくとも１つを記憶させることを許容する第２ドラム記憶領域と
を有するドラムメモリと、
を備え、
前記ドラム識別情報に対応する印刷の上限枚数を表すドラム上限印刷枚数、前記感光体ドラムの回転数の上限回数を表す上限ドラム回転数の少なくとも１つと、前記第２ドラム記憶領域に記憶された前記ドラム累積印刷枚数および前記累積ドラム回転数の少なくとも１つと、を用いて、前記ドラムカートリッジが寿命に到達したかを判定可能であることを特徴とするドラムカートリッジ。
【請求項１１】
前記ドラム上限印刷枚数および前記上限ドラム回転数と、前記ドラム累積印刷枚数および前記累積ドラム回転数と、を用いて前記ドラムカートリッジが寿命に到達したかを判定することを特徴とする請求項１０に記載のドラムカートリッジ。
【請求項１２】
ベルトユニットであって、
ベルトと、
ベルトメモリであって、
前記ベルトユニットの種別を識別するベルト識別情報であって、前記ベルトユニットの複数の種別の中から特定の種別を識別するベルト識別情報を記憶する第１ベルト記憶領域と、
前記第１ベルト記憶領域とは異なる第２ベルト記憶領域であって、前記ベルトユニットを用いて印刷されたベルト累積印刷枚数および累積ベルト回転数の少なくとも１つを記憶させることを許容する第２ベルト記憶領域と、
を有するベルトメモリと、
を備え、
前記ベルト識別情報と対応する印刷の上限枚数を表すベルト上限印刷枚数および前記ベルトの回転数の上限回数を表す上限ベルト回転数の少なくとも１つと、前記累積印刷枚数および前記累積ベルト回転数の少なくとも１つと、を用いて、前記ベルトユニットが寿命に到達したかを判定可能であることを特徴とするベルトユニット。
【請求項１３】
前記ベルト上限印刷枚数および前記上限ベルト回転数と、前記ベルト累積印刷枚数および前記累積ベルト回転数と、を用いて前記ベルトユニットが寿命に到達したかを判定することを特徴とする請求項１２に記載のベルトユニット。
【発明の詳細な説明】
【技術分野】
【０００１】
本開示は、現像カートリッジ、および現像カートリッジを装着可能な画像形成装置に関する。
【背景技術】
【０００２】
従来、現像カートリッジを装着可能な画像形成装置が知られている（特許文献１参照）。
【先行技術文献】
【特許文献】
【０００３】
【特許文献１】特開２００９−２６５４０１号公報
【発明の概要】
【発明が解決しようとする課題】
【０００４】
画像形成装置に装着する現像カートリッジ、ドラムカートリッジ、ベルトユニットなどの消耗品は、複数の種別（製造メーカーや容量種別など）を有する場合がある。しかしながら、従来の画像形成装置では、消耗品の種別ごとに異なる寿命を判断することができなかった。このため、複数の種別を持つ消耗品に対しては、適正な寿命管理ができないという問題点があった。
【０００５】
そこで、本開示は、複数の種別を持つ消耗品に対して、適正な寿命管理をすることを目的とする。
【課題を解決するための手段】
【０００６】
上述の課題を解決するため、本開示の現像カートリッジは、現像ローラと、現像メモリとを備える。現像メモリは、現像カートリッジの種別を識別する現像識別情報であって、現像カートリッジの複数の種別の中から特定の種別を識別する現像識別情報を記憶する第１現像記憶領域と、第１現像記憶領域と異なる第２現像記憶領域であって、現像カートリッジを用いて印刷された現像累積印刷枚数、累積現像ローラ回転数および累積ドットカウントの少なくとも１つを記憶させることを許容する第２現像記憶領域と、を有する。
現像カートリッジは、現像識別情報と対応する印刷の上限枚数を表す現像上限印刷枚数、現像ローラの回転数の上限回数を表す上限現像ローラ回転数および印刷可能な上限のドット数を表す上限ドットカウントの少なくとも１つと、第２現像記憶領域に記憶された現像累積印刷枚数、累積現像ローラ回転数および累積ドットカウントの少なくとも１つと、を用いて、現像カートリッジの寿命に到達したかを判定可能である。
【０００７】
この構成によれば、複数の現像識別情報の中から、現像識別情報に対応する現像上限印刷枚数、上限現像ローラ回転数および上限ドットカウントの少なくとも１つと、現像累積印刷枚数、累積現像ローラ回転数および累積ドットカウントの少なくとも１つを用いて、現像カートリッジが寿命に到達したかを判定することができる。このため、複数の種別を持つ現像カートリッジに対して、適正な寿命管理をすることができる。
【０００８】
前記した構成において、現像カートリッジは、現像上限印刷枚数、上限現像ローラ回転数および上限ドットカウントと、現像累積印刷枚数、累積現像ローラ回転数および累積ドットカウントと、を用いて現像カートリッジの寿命に到達したかを判定可能である構成としてもよい。
【０００９】
上述の課題を解決するため、本開示の画像形成装置は、装置本体と、現像カートリッジと、本体メモリと、制御装置とを備える。現像カートリッジは、装置本体に対して装着可能であり、現像ローラと現像メモリとを有する。現像メモリは、現像カートリッジの種別を識別し、現像カートリッジの複数の種別の中から特定の種別を識別する現像識別情報を記憶する第１現像記憶領域と、第１現像記憶領域とは異なる第２現像記憶領域とを有する。本体メモリは、複数の現像識別情報を記憶し、複数の現像識別情報のそれぞれに対して、印刷の上限枚数を表す現像上限印刷枚数、現像ローラの回転数の上限回数を表す上限現像ローラ回転数および印刷可能な上限のドットカウントを表す上限ドットカウントの少なくとも１つを対応付けて記憶する。
制御装置は、現像カートリッジを用いて印刷された現像累積印刷枚数、累積現像ローラ回転数および累積ドットカウントの少なくとも１つを第２現像記憶領域に記憶させる記憶処理と、現像メモリに記憶された現像識別情報を読み出す読出処理と、本体メモリに記憶された複数の現像識別情報の中から、読み出された現像識別情報に対応する現像上限印刷枚数、上限現像ローラ回転数および上限ドットカウントの少なくとも１つと、第２現像記憶領域に記憶された現像累積印刷枚数、累積現像ローラ回転数および累積ドットカウントの少なくとも１つを用いて、現像カートリッジが寿命に到達したかを判定する判定処理と、を実行可能である。
【００１０】
この構成によれば、複数の現像識別情報の中から、現像識別情報に対応する現像上限印刷枚数、上限現像ローラ回転数および上限ドットカウントの少なくとも１つと、現像累積印刷枚数、累積現像ローラ回転数および累積ドットカウントの少なくとも１つを用いて、現像カートリッジが寿命に到達したかを判定することができる。このため、複数の種別を持つ現像カートリッジに対して、適正な寿命管理をすることができる。
【００１１】
前記した構成において、本体メモリには、複数の現像識別情報のそれぞれに対して、現像上限印刷枚数、上限現像ローラ回転数および上限ドットカウントを対応付けて記憶され、制御装置は、判定処理において、現像上限印刷枚数、上限現像ローラ回転数および上限ドットカウントと、第２現像記憶領域に記憶された現像累積印刷枚数、累積現像ローラ回転数および累積ドットカウントと、を用いて現像カートリッジが寿命に到達したかを判定する構成としてもよい。
【００１２】
この構成によれば、現像累積印刷枚数、累積現像ローラ回転数および累積ドットカウントと、を用いて現像カートリッジが寿命に到達したかを判定するので、さらに確実に寿命管理をすることができる。
【００１３】
前記した構成において、制御装置は、判定処理において、現像累積印刷枚数が現像上限印刷枚数を超えた場合、累積現像ローラ回転数が上限現像ローラ回転数を超えた場合および累積ドットカウントが上限ドットカウントを超えた場合の少なくとも１つを判定した場合に現像カートリッジが寿命に達したとするエラーとする構成としてもよい。
【００１４】
前記した構成において、制御装置は、本体メモリに記憶された複数の現像識別情報の中に、読み出された現像識別情報が無い場合にエラーとする構成としてもよい。
【００１５】
前記した構成において、画像形成装置は、さらに、ディスプレイを備え、制御装置は、判定処理によりエラーとされた場合、ディスプレイに、エラーに関する情報を表示させる構成としてもよい。
【００１６】
前記した構成において、画像形成装置は、装置本体に対して装着可能なドラムカートリッジをさらに備え、ドラムカートリッジは、感光体ドラムと、ドラムカートリッジの種別を識別するドラム識別情報であって、ドラムカートリッジの複数の種別の中から特定の種別を識別するドラム識別情報を記憶する第１ドラム記憶領域と、第１ドラム記憶領域とは異なる第２ドラム記憶領域とを有するドラムメモリと、を備え、本体メモリには、複数のドラム識別情報が記憶され、複数のドラム識別情報のそれぞれに対して、印刷の上限枚数を表すドラム上限印刷枚数および感光体ドラムの回転数の上限回数を表す上限ドラム回転数の少なくとも１つが対応付けて記憶され、制御装置は、ドラムカートリッジを用いて印刷されたドラム累積印刷枚数および累積ドラム回転数の少なくとも１つを第２ドラム記憶領域に記憶させる記憶処理と、ドラムメモリに記憶されたドラム識別情報を読み出す読出処理と、本体メモリに記憶された複数のドラム識別情報の中から、読み出されたドラム識別情報に対応するドラム上限印刷枚数および上限ドラム回転数の少なくとも１つと、第２ドラム記憶領域に記憶されたドラム累積印刷枚数および累積ドラム回転数の少なくとも１つと、を用いて、ドラムカートリッジが寿命に到達したかを判定する判定処理と、を実行可能である構成としてもよい。
【００１７】
この構成によれば、複数のドラム識別情報の中から、ドラム識別情報に対応するドラム上限印刷枚数および上限ドラム回転数の少なくとも１つと、ドラム累積印刷枚数および累積ドラム回転数の少なくとも１つを用いて、ドラムカートリッジが寿命に到達したかを判定することができる。このため、複数の種別を持つドラムカートリッジに対して、適正な寿命管理をすることができる。
【００１８】
前記した構成において、画像形成装置は、装置本体に対して装着可能なベルトユニットをさらに備え、ベルトユニットは、ベルトと、ベルトユニットの種別を識別するベルト識別情報であって、ベルトユニットの複数の種別の中から特定の種別を識別するベルト識別情報を記憶する第１ベルト記憶領域と、第１ベルト記憶領域とは異なる第２ベルト記憶領域とを有するベルトメモリと、を備え、本体メモリには、複数のベルト識別情報が記憶され、複数のベルト識別情報のそれぞれに対して、印刷の上限枚数を表すベルト上限印刷枚数およびベルトの回転数の上限回数を表す上限ベルト回転数の少なくとも１つが対応付けて記憶され、制御装置は、ベルトユニットを用いて印刷されたベルト累積印刷枚数および累積ベルト回転数の少なくとも１つを第２ベルト記憶領域に記憶させる記憶処理と、ベルトメモリに記憶されたベルト識別情報を読み出す読出処理と、本体メモリに記憶された複数のベルト識別情報の中から、読み出されたベルト識別情報に対応するベルト上限印刷枚数および上限ベルト回転数の少なくとも１つと、第２ベルト記憶領域に記憶されたドラム累積印刷枚数および累積ベルト回転数の少なくとも１つと、を用いて、ベルトユニットが寿命に到達したかを判定する判定処理と、を実行可能である構成としてもよい。
【００１９】
この構成によれば、複数のベルト識別情報の中から、ベルト識別情報に対応するベルト上限印刷枚数および上限ベルト回転数の少なくとも１つと、ベルト累積印刷枚数および累積ベルト回転数の少なくとも１つを用いて、ベルトユニットが寿命に到達したかを判定することができる。このため、複数の種別を持つベルトユニットに対して、適正な寿命管理をすることができる。
【００２０】
上述の課題を解決するため、本開示のドラムカートリッジは、感光体ドラムと、ドラムメモリとを備える。ドラムメモリは、ドラムカートリッジの種別を識別するドラム識別情報であって、前記ドラムカートリッジの複数の種別の中から特定の種別を識別するドラム識別情報を記憶する第１ドラム記憶領域と、第１ドラム記憶領域とは異なる第２ドラム記憶領域であって、ドラムカートリッジを用いて印刷されたドラム累積印刷枚数および累積ドラム回転数の少なくとも１つを記憶させることを許容する第２ドラム記憶領域とを有する。
ドラムカートリッジは、ドラム識別情報に対応する印刷の上限枚数を表すドラム上限印刷枚数、感光体ドラムの回転数の上限回数を表す上限ドラム回転数の少なくとも１つと、第２ドラム記憶領域に記憶されたドラム累積印刷枚数および累積ドラム回転数の少なくとも１つと、を用いて、ドラムカートリッジが寿命に到達したかを判定可能である。
【００２１】
この構成によれば、複数のドラム識別情報の中から、ドラム識別情報に対応するドラム上限印刷枚数および上限ドラム回転数の少なくとも１つと、ドラム累積印刷枚数および累積ドラム回転数の少なくとも１つを用いて、ドラムカートリッジが寿命に到達したかを判定することができる。このため、複数の種別を持つドラムカートリッジに対して、適正な寿命管理をすることができる。
【００２２】
前記した構成において、ドラムカートリッジは、ドラム上限印刷枚数および上限ドラム回転数と、ドラム累積印刷枚数および累積ドラム回転数と、を用いてドラムカートリッジが寿命に到達したかを判定する構成としてもよい。
【００２３】
上述の課題を解決するため、本開示のベルトユニットは、ベルトと、ベルトメモリとを備える。ベルトメモリは、ベルトユニットの種別を識別するベルト識別情報であって、前記ベルトユニットの複数の種別の中から特定の種別を識別するベルト識別情報を記憶する第１ベルト記憶領域と、第１ベルト記憶領域とは異なる第２ベルト記憶領域であって、ベルトユニットを用いて印刷されたベルト累積印刷枚数および累積ベルト回転数の少なくとも１つを記憶させることを許容する第２ベルト記憶領域とを有する。
ベルトユニットは、ベルト識別情報に対応する印刷の上限枚数を表すベルト上限印刷枚数、ベルトの回転数の上限回数を表す上限ベルト回転数の少なくとも１つと、第２ベルト記憶領域に記憶されたベルト累積印刷枚数および累積ベルト回転数の少なくとも１つと、を用いて、ベルトユニットが寿命に到達したかを判定可能である。
【００２４】
この構成によれば、複数のベルト識別情報の中から、ベルト識別情報に対応するベルト上限印刷枚数および上限ベルト回転数の少なくとも１つと、ベルト累積印刷枚数および累積ベルト回転数の少なくとも１つを用いて、ベルトユニットが寿命に到達したかを判定することができる。このため、複数の種別を持つベルトユニットに対して、適正な寿命管理をすることができる。
【００２５】
前記した構成において、ベルトユニットは、ベルト上限印刷枚数および上限ベルト回転数と、ベルト累積印刷枚数および累積ベルト回転数と、を用いてベルトユニットが寿命に到達したかを判定する。
【発明の効果】
【００２６】
本開示の現像カートリッジによれば、複数の種別に対応して適正な寿命管理をすることができる。
本開示の画像形成装置によれば、複数の種別を持つ消耗品に対して、適正な寿命管理をすることができる。
本開示のドラムカートリッジによれば、複数の種別に対応して適正な寿命管理をすることができる。
本開示のベルトユニットによれば、複数の種別に対応して適正な寿命管理をすることができる。
【図面の簡単な説明】
【００２７】
【図１】実施形態に係る画像形成装置の断面図である。
【図２】本体筐体からドラムカートリッジとベルトユニットを取り出した状態を示す図である。
【図３】現像識別情報に対応する現像カートリッジの寿命情報を示すテーブルである。
【図４】ドラム識別情報に対応するドラムカートリッジの寿命情報を示すテーブルである。
【図５】ベルト識別情報に対応するベルトユニットの寿命情報を示すテーブルである。
【図６】記憶処理を示すフローチャートである。
【図７】現像カートリッジの寿命チェック処理のフローチャートである。
【図８】ドラムカートリッジの寿命チェック処理のフローチャートである。
【図９】ベルトユニットの寿命チェック処理のフローチャートである。
【発明を実施するための形態】
【００２８】
次に、本開示の実施形態について、適宜図面を参照しながら詳細に説明する。
図１に示すように、画像形成装置１はモノクロ用のレーザプリンタである。画像形成装置１は、装置本体２と、フィーダ部３と、画像形成部４と、制御装置１００と、本体メモリ１１０と、ディスプレイ２６とを備える。
【００２９】
装置本体２は、中空のケース状である。装置本体２は、左右一対の側壁２１と、側壁２１を繋ぐ前壁２２とを有している。前壁２２は、本体開口２２Ａを有する。前壁２２には、本体開口２２Ａを開閉するフロントカバー２３が設けられている。
【００３０】
フィーダ部３は、供給トレイ３１と、供給機構３２とを備えている。供給トレイ３１は、装置本体２の下部に着脱可能に装着される。供給機構３２は、供給トレイ３１と、供給トレイ３１内のシートＳを画像形成部４に向けて給紙する。
【００３１】
画像形成部４は、スキャナユニット５と、ベルトユニット６と、定着装置７と、ドラムカートリッジ８と、現像カートリッジ９とを備えている。
【００３２】
スキャナユニット５は、装置本体２内の上部に設けられ、図示しないレーザ発光部、ポリゴンミラー、レンズおよび反射鏡などを備えている。このスキャナユニット５では、レーザビームを、後述する感光体ドラム８１の表面上に高速走査にて照射する。
【００３３】
ベルトユニット６は、ベルト６１と、駆動ローラ６２と、従動ローラ６３と、ベルトメモリ６５とを有している。ベルトユニット６は、装置本体２に対して着脱可能である（図２参照）。ベルトユニット６は、消耗品の一例である。
【００３４】
ベルト６１は、無端状である。駆動ローラ６２は、ベルト６１を駆動する。従動ローラ６３は、ベルト６１の駆動に従い回転する。
【００３５】
ベルトメモリ６５は、例えば、ＩＣチップなどの情報を記憶する媒体であり、ＩＣチップに限られない。ベルトメモリ６５は、第１ベルト記憶領域と第２記憶領域とを有する。第２記憶領域は、第１ベルト記憶領域とは異なる記憶領域である。
【００３６】
制御装置１００は、例えば、ＣＰＵ、ＲＡＭ、ＲＯＭおよび入出力回路を備えており、装着されたカートリッジの情報やＲＯＭに記憶されたプログラムやデータなどに基づいて演算処理を行うことによって、印刷制御を実行している。
【００３７】
ディスプレイ２６は、装置本体２の外表面に位置している。ディスプレイ２６は、制御装置１００の指令に基づいて、各種メッセージを表示する。
【００３８】
ドラムカートリッジ８は、フィーダ部３とスキャナユニット５との間に配置されている。ドラムカートリッジ８は、装置本体２に対して着脱可能である。具体的に、ドラムカートリッジ８は、装置本体２のフロントカバー２３で開閉される本体開口２２Ａを通して、装置本体２に対して着脱可能である。ドラムカートリッジ８は、消耗品の一例である。
【００３９】
図２に示すように、現像カートリッジ９は、装置本体２に装着可能である。本実施形態では、現像カートリッジ９は、ドラムカートリッジ８に対して着脱可能である。現像カートリッジ９は、ドラムカートリッジ８に組み付けられた状態で、装置本体２に装着される。現像カートリッジ９は、消耗品の一例である。
【００４０】
図１に戻り、ドラムカートリッジ８は、フレーム８０と、感光体ドラム８１と、転写ローラ８２と、帯電器８３と、ドラムメモリ８５とを有している。フレーム８０は、現像カートリッジ９を装着可能である。感光体ドラム８１および転写ローラ８２は、フレーム８０に回転可能に支持されている。
【００４１】
ドラムメモリ８５は、例えば、ＩＣチップなどの情報を記憶する媒体であり、ＩＣチップに限られない。ドラムメモリ８５は、第１ドラム記憶領域と第２ドラム記憶領域とを有する。第２ドラム記憶領域は、第１ドラム記憶領域とは異なる記憶領域である。
【００４２】
現像カートリッジ９は、筐体９０と、現像ローラ９１と、供給ローラ９２と、ブレード９３と、現像メモリ９５とを有している。筐体９０は、内部にトナーを収容可能である。現像ローラ９１は感光体ドラム８１にトナーを供給する。供給ローラ９２は筐体９０のトナーを現像ローラ９１に供給する。ブレード９３は、現像ローラ９１に供給されたトナーの層厚を規制する。
【００４３】
現像メモリ９５は、例えば、ＩＣチップなどの情報を記憶する媒体であり、ＩＣチップに限られない。現像メモリ９５は、第１現像記憶領域と第２現像記憶領域とを有する。第２現像記憶領域は、第１現像記憶領域とは異なる記憶領域である。
【００４４】
このドラムカートリッジ８では、回転する感光体ドラム８１の表面が、帯電器８３により一様に帯電された後、スキャナユニット５からのレーザビームの高速走査により露光される。これにより、露光された部分の電位が下がって、感光体ドラム８１の表面に画像データに基づく静電潜像が形成される。
【００４５】
次いで、回転駆動される現像ローラ９１によって現像カートリッジ９内のトナーが感光体ドラム８１の静電潜像に供給されて、感光体ドラム８１の表面上にトナー像が形成される。その後、感光体ドラム８１と転写ローラ８２の間でシートＳが搬送されることで、感光体ドラム８１の表面に担持されているトナー像がシートＳ上に転写される。
【００４６】
定着装置７は、加熱ローラ７１と、加圧ローラ７２とを備えている。加圧ローラ７２は、加熱ローラ７１と向かいあって位置している。加圧ローラ７２は、加熱ローラ７１を押圧する。定着装置７は、シートＳ上に転写されたトナーを、シートＳが加熱ローラ７１と加圧ローラ７２との間を通過する間に熱定着する。
【００４７】
定着装置７で熱定着されたシートＳは、定着装置７の下流側に配設される排紙ローラ２４に搬送され、この排紙ローラ２４から排紙トレイ２５上に送り出される。
【００４８】
本体メモリ１１０には、図３に示す複数の現像識別情報に対応する現像カートリッジ９の寿命情報が記憶されている。図３に示すように、複数の現像識別情報のそれぞれに対して、現像上限印刷枚数、上限現像ローラ回転数および上限ドットカウントが対応付けられている。現像識別情報とは、現像カートリッジ９の種別を識別する情報である。
【００４９】
本実施形態では、現像識別情報は、メーカ、容量、ランクの組合せに応じて１つのユニークな識別情報が割り当てられている。例えば、メーカは、Ｘ社とＹ社の種別がある。容量は、標準（ＳＴＤ）、大（ＨＹ）、特大（ＳＨＹ）の種別がある。Ｘ社の製品におけるランクは、Ａ，Ｂ，Ｃの種別がある。Ｙ社の製品におけるランクは、Ａ，Ｂの種別がある。このように、本実施形態においては、現像カートリッジ９は、複数の種別の組合せに対応して００１〜０１５が複数の現像識別情報として割り当てられている。
【００５０】
本体メモリ１１０には、各現像識別情報に対応してそれぞれ、現像上限印刷枚数、上限現像ローラ回転数および上限ドットカウントが記憶されている。例えば、００１の現像識別情報に対応して、上限現像ローラ回転数＝１６００００回転、上限ドットカウント＝１０００００００ｄｏｔ、現像上限印刷枚数＝４０００枚、と記憶されている。上限現像ローラ回転数は、現像ローラ９１の回転数の上限回数を表す数である。上限ドットカウントは、印刷可能な上限のドットカウントを表す数である。現像上限印刷枚数は、印刷の上限枚数を表す数である。
【００５１】
一方、現像メモリ９５には、現像カートリッジ９の複数の種別の中から特定の種別を識別する現像識別情報が第１現像記憶領域に記憶されている。具体的には、００１〜０１５の現像識別情報のうち、１つの現像識別情報が現像メモリ９５の第１現像記憶領域に記憶されている。
【００５２】
制御装置１００は、記憶処理と、読出処理と、判定処理とを実行可能である。
【００５３】
記憶処理は、現像カートリッジ９を用いて印刷された現像累積印刷枚数、累積現像ローラ回転数および累積ドットカウントの少なくとも１つを現像メモリ９５の第２現像記憶領域に記憶させる処理である。具体的には、制御装置１００は、画像形成装置１に印刷ジョブが入力され、所定枚数の印刷が実行された場合に、現像カートリッジ９における所定枚数の印刷が実行される前までの現像印刷枚数、現像ローラ回転数、ドットカウントに、所定枚数の印刷が実行された分をプラスした現像累積印刷枚数、累積現像ローラ回転数、累積ドットカウントを現像メモリ９５の第２現像記憶領域に記憶させる。この記憶処理は、印刷ジョブがすべて終了するまで所定枚数ごとに繰り返し行われる。
【００５４】
読出処理は、現像メモリ９５に記憶された現像識別情報を読み出す処理である。具体的には、現像メモリ９５の第２現像記憶領域から現像累積印刷枚数、累積ドットカウント、累積現像ローラ回転数を読み出す処理である。
【００５５】
判定処理は、本体メモリ１１０に記憶された複数の現像識別情報の中から、読み出された現像識別情報に対応する現像上限印刷枚数、上限現像ローラ回転数および上限ドットカウントの少なくとも１つと、現像メモリ９５の第２現像記憶領域に記憶された現像累積印刷枚数、累積現像ローラ回転数および累積ドットカウントの少なくとも１つを用いて、現像カートリッジ９が寿命に到達したかを判定する処理である。
【００５６】
本実施形態では、判定処理において、現像上限印刷枚数、上限現像ローラ回転数および上限ドットカウントと、現像累積印刷枚数、累積現像ローラ回転数および累積ドットカウントと、を用いて現像カートリッジ９が寿命に到達したかを判定する。つまり、現像累積印刷枚数、累積現像ローラ回転数および累積ドットカウントのうちのどれか１つが上限に達した場合に寿命と判定する。
【００５７】
制御装置１００は、判定処理において、現像累積印刷枚数が現像上限印刷枚数を超えた場合、累積現像ローラ回転数が上限現像ローラ回転数を超えた場合、累積ドットカウントが上限ドットカウントを超えた場合、の少なくとも１つを判定した場合に現像カートリッジ９が寿命に達したとするエラーとする。
制御装置１００は、判定処理によりエラーとされた場合、ディスプレイ２６に、エラーに関する情報を表示させる。
【００５８】
制御装置１００は、本体メモリ１１０に記憶された複数の現像識別情報の中（図３参照）に、読み出された現像識別情報が無い場合、エラーとする。具体的に、制御装置１００は、現像メモリ９５の第１現像記憶領域から現像識別情報を読み出した場合に、本体メモリ１１０のテーブルに対応する現像識別情報がない場合には、現像カートリッジ９の種別のエラーと判定し、エラーをディスプレイ２６に表示する。
【００５９】
本体メモリ１１０には、図４に示す複数のドラム識別情報に対応するドラムカートリッジ８の寿命情報が記憶されている。図４に示すように、複数のドラム識別情報のそれぞれに対して、ドラム上限印刷枚数および上限ドラム回転数が対応付けられている。ドラム識別情報とは、ドラムカートリッジ８の種別を識別する情報である。
【００６０】
本実施形態では、ドラム識別情報は、メーカ、モデル、ランクの組合せに応じて１つのユニークな識別情報が割り当てられている。例えば、メーカは、Ｘ社とＹ社の種別がある。モデルは、基本（ＢＡＳＥ）、大（ＨＹ）、フラッグシップ（Ｆｌａｇｓｈｉｐ）の種別がある。Ｘ社の製品におけるランクは、Ａ，Ｂ，Ｃの種別がある。Ｙ社の製品におけるランクは、Ａ，Ｂの種別がある。このように、本実施形態においては、ドラムカートリッジ８は、複数の種別の組合せに対応して００１〜０１５のＩＤが複数のドラム識別情報として割り当てられている。
【００６１】
本体メモリ１１０には、各ドラム識別情報に対応してそれぞれ、ドラム上限印刷枚数および上限ドラム回転数が記憶されている。例えば、００１のドラム識別情報に対応して、上限ドラム回転数＝２０００００回転、ドラム上限印刷枚数＝５００００枚、と記憶されている。上限ドラム回転数は、感光体ドラム８１の回転数の上限回数を表す数である。ドラム上限印刷枚数は、印刷の上限枚数を表す数である。
【００６２】
一方、ドラムメモリ８５には、ドラムカートリッジ８の複数の種別の中から特定の種別を識別するドラム識別情報が第１ドラム記憶領域に記憶されている。具体的には、００１〜０１５のドラム識別情報のうち、１つのドラム識別情報がドラムメモリ８５の第１ドラム記憶領域に記憶されている。
【００６３】
制御装置１００は、記憶処理と、読出処理と、判定処理とを実行可能である。
【００６４】
記憶処理は、ドラムカートリッジ８を用いて印刷されたドラム累積印刷枚数および累積ドラム回転数の少なくとも１つをドラムメモリ８５の第２ドラム記憶領域に記憶させる処理である。具体的には、制御装置１００は、画像形成装置１に印刷ジョブが入力され、所定枚数の印刷が実行された場合に、ドラムカートリッジ８における所定枚数の印刷が実行される前までのドラム印刷枚数、ドラム回転数に、所定枚数の印刷が実行された分をプラスしたドラム累積印刷枚数、累積ドラム回転数をドラムメモリ８５の第２ドラム記憶領域に記憶させる。この記憶処理は、印刷ジョブがすべて終了するまで所定枚数ごとに繰り返し行われる。
【００６５】
読出処理は、ドラムメモリ８５に記憶されたドラム識別情報を読み出す処理である。具体的には、ドラムメモリ８５の第２ドラム記憶領域からドラム累積印刷枚数、累積現像ローラ回転数を読み出す処理である。
【００６６】
判定処理は、本体メモリ１１０に記憶された複数のドラム識別情報の中から、読み出されたドラム識別情報に対応するドラム上限印刷枚数および上限ドラム回転数の少なくとも１つと、ドラムメモリ８５の第２ドラム記憶領域に記憶されたドラム累積印刷枚数および累積ドラム回転数の少なくとも１つを用いて、ドラムカートリッジ８が寿命に到達したかを判定する処理である。
【００６７】
本実施形態では、判定処理において、ドラム上限印刷枚数および上限ドラム回転数と、現像累積印刷枚数および累積現像ローラ回転数と、を用いてドラムカートリッジ８が寿命に到達したかを判定する。つまり、ドラム累積印刷枚数および累積ドラム回転数のうちのどれか１つが上限に達した場合に寿命と判定する。
【００６８】
制御装置１００は、判定処理において、ドラム累積印刷枚数がドラム上限印刷枚数を超えた場合、累積ドラム回転数が上限ドラム回転数を超えた場合、の少なくとも１つを判定した場合にドラムカートリッジ８が寿命に達したとするエラーとする。
制御装置１００は、判定処理によりエラーとされた場合、ディスプレイ２６に、エラーに関する情報を表示させる。
【００６９】
制御装置１００は、本体メモリ１１０に記憶された複数のドラム識別情報の中（図４参照）に、読み出されたドラム識別情報が無い場合、エラーとする。具体的に、制御装置１００は、ドラムメモリ８５の第１ドラム記憶領域からドラム識別情報を読み出した場合に、本体メモリ１１０のテーブルに対応するドラム識別情報がない場合には、ドラムカートリッジ８の種別のエラーと判定し、エラーをディスプレイ２６に表示する。
【００７０】
本体メモリ１１０には、図５に示す複数のベルト識別情報に対応するベルトユニット６の寿命情報が記憶されている。図５に示すように、複数のベルト識別情報のそれぞれに対して、ベルト上限印刷枚数および上限ベルト回転数が対応付けられている。ベルト識別情報とは、ベルトユニット６の種別を識別する情報である。
【００７１】
本実施形態では、ベルト識別情報は、メーカ、モデル、ランクの組合せに応じて１つのユニークな識別情報が割り当てられている。例えば、メーカは、Ｘ社とＹ社の種別がある。モデルは、基本（ＢＡＳＥ）、大（ＨＹ）、フラッグシップ（Ｆｌａｇｓｈｉｐ）の種別がある。Ｘ社の製品におけるランクは、Ａ，Ｂ，Ｃの種別がある。Ｙ社の製品におけるランクは、Ａ，Ｂの種別がある。このように、本実施形態においては、ベルトユニット６は、複数の種別の組合せに対応して００１〜０１５のＩＤが複数のベルト識別情報として割り当てられている。
【００７２】
本体メモリ１１０には、各ベルト識別情報に対応してそれぞれ、ベルト上限印刷枚数および上限ドラム回転数が記憶されている。例えば、００１のベルト識別情報に対応して、上限ベルト回転数＝３０００００回転、ベルト上限印刷枚数＝６００００枚、と記憶されている。上限ベルト回転数は、ベルト６１の回転数の上限回数を表す数である。ベルト上限印刷枚数は、印刷の上限枚数を表す数である。
【００７３】
一方、ベルトメモリ６５には、ベルトユニット６の複数の種別の中から特定の種別を識別するベルト識別情報が第１ベルト記憶領域に記憶されている。具体的には、００１〜０１５のベルト識別情報のうち、１つのベルト識別情報がベルトメモリ６５の第１ベルト記憶領域に記憶されている。
【００７４】
制御装置１００は、記憶処理と、読出処理と、判定処理とを実行可能である。
【００７５】
記憶処理は、ベルトユニット６を用いて印刷されたベルト累積印刷枚数および累積ベルト回転数の少なくとも１つをベルトメモリ６５の第２ベルト記憶領域に記憶させる処理である。具体的には、制御装置１００は、画像形成装置１に印刷ジョブが入力され、所定枚数の印刷が実行された場合に、ベルトユニット６における所定枚数の印刷が実行される前までのベルト印刷枚数、ベルト回転数に、所定枚数の印刷が実行された分をプラスしたベルト累積印刷枚数、累積ベルト回転数をベルトメモリ６５の第２ベルト記憶領域に記憶させる。この記憶処理は、印刷ジョブがすべて終了するまで所定枚数ごとに繰り返し行われる。
【００７６】
読出処理は、ベルトメモリ６５に記憶されたベルト識別情報を読み出す処理である。具体的には、ベルトメモリ６５の第２ベルト記憶領域からベルト累積印刷枚数、累積現像ローラ回転数を読み出す処理である。
【００７７】
判定処理は、本体メモリ１１０に記憶された複数のベルト識別情報の中から、読み出されたベルト識別情報に対応するベルト上限印刷枚数および上限ベルト回転数の少なくとも１つと、ベルトメモリ６５の第２ベルト記憶領域に記憶されたベルト累積印刷枚数および累積ベルト回転数の少なくとも１つを用いて、ベルトユニット６が寿命に到達したかを判定する処理である。
【００７８】
本実施形態では、判定処理において、ベルト上限印刷枚数および上限ベルト回転数と、ドラム累積印刷枚数および累積現像ローラ回転数と、を用いてベルトユニット６が寿命に到達したかを判定する。つまり、ベルト累積印刷枚数および累積ベルト回転数のうちのどれか１つが上限に達した場合に寿命と判定する。
【００７９】
制御装置１００は、判定処理において、ベルト累積印刷枚数がベルト上限印刷枚数を超えた場合、累積ベルト回転数が上限ベルト回転数を超えた場合、の少なくとも１つを判定した場合にベルトユニット６が寿命に達したとするエラーとする。
制御装置１００は、判定処理によりエラーとされた場合、ディスプレイ２６に、エラーに関する情報を表示させる。
【００８０】
制御装置１００は、本体メモリ１１０に記憶された複数のベルト識別情報の中（図４参照）に、読み出されたベルト識別情報が無い場合、エラーとする。具体的に、制御装置１００は、ベルトメモリ６５の第１ベルト記憶領域からベルト識別情報を読み出した場合に、本体メモリ１１０のテーブルに対応するベルト識別情報がない場合には、ベルトユニット６の種別のエラーと判定し、エラーをディスプレイ２６に表示する。
【００８１】
次に、制御装置１００が実行する記憶処理の一例について、図６のフローチャートを参照して説明する。
【００８２】
図６に示すように、制御装置１００は、画像形成装置１に印刷ジョブが入力された判定した場合（Ｓ１，Ｙｅｓ）、所定枚数の印刷を実行する（Ｓ２）。所定枚数は、予め設定されており、１枚であってもよく、２枚以上であってもよい。制御装置１００は、画像形成装置１に印刷ジョブが入力されない場合（Ｓ１，Ｎｏ）、印刷ジョブが入力されるまで待つ。
【００８３】
ステップＳ２の後、制御装置１００は、記憶処理として、現像カートリッジ９を用いて印刷された現像累積印刷枚数、累積現像ローラ回転数、累積ドットカウントを現像メモリ９５の第２現像記憶領域に記憶させる（Ｓ３）。
【００８４】
ステップＳ３の後、制御装置１００は、記憶処理として、ドラムカートリッジ８を用いて印刷されたドラム累積印刷枚数、累積ドラム回転数をドラムメモリ８５の第２ドラム記憶領域に記憶させる（Ｓ４）。
【００８５】
ステップＳ４の後、制御装置１００は、記憶処理として、ベルトユニット６を用いて印刷されたベルト累積印刷枚数、累積ベルト回転数をベルトメモリ６５の第２ベルト記憶領域に記憶させる（Ｓ５）。
【００８６】
ステップＳ５の後、制御装置１００は、印刷ジョブはすべて終了したかを判定する（Ｓ６）。制御装置１００は、印刷ジョブがすべて終了していない判定した場合（Ｓ６，Ｎｏ）、ステップＳ２に戻り、さらに所定枚数の印刷を実行する。一方、制御装置１００は、印刷ジョブがすべて終了したと判定した場合（Ｓ６，Ｙｅｓ）、本制御を終了する。
【００８７】
次に、制御装置１００が実行する現像カートリッジ９の寿命チェック処理の一例について、図７のフローチャートを参照して説明する。寿命チェック処理は、画像形成装置１がＯＮされてからＯＦＦされるまで繰り返し行われる。
【００８８】
図７に示すように、制御装置１００は、現像メモリ９５の第１現像記憶領域から現像識別情報を読み出す（Ｓ１０）。
【００８９】
ステップＳ１０の後、制御装置１００は、本体メモリ１１０のテーブル（図３参照）に、読み出した現像識別情報があるかを判定する（Ｓ１１）。
【００９０】
ステップＳ１１において、制御装置１００は、本体メモリ１１０のテーブルに読み出した現像識別情報がないと判定した場合（Ｓ１１，Ｎｏ）、現像カートリッジ９が画像形成装置１に適さないものであるとして、現像カートリッジ９の種別エラーをディスプレイ２６に表示し（Ｓ１２）、本制御を終了する。
【００９１】
一方、ステップＳ１１において、制御装置１００は、本体メモリ１１０のテーブルに読み出した現像識別情報があると判定した場合（Ｓ１１，Ｙｅｓ）、本体メモリ１１０のテーブルに基づいて、現像識別情報に対応する現像上限印刷枚数、上限ドットカウント、上限現像ローラ回転数を決定する（Ｓ１３）。
【００９２】
ステップＳ１３の後、制御装置１００は、読出処理として現像メモリ９５の第２現像記憶領域から現像累積印刷枚数、累積ドットカウント、累積現像ローラ回転数を読み出す（Ｓ１４）。
【００９３】
ステップＳ１４の後、制御装置１００は、現像累積印刷枚数が現像上限印刷枚数より小さいかを判定する（Ｓ１５）。ステップＳ１５において、制御装置１００は、現像累積印刷枚数が現像上限印刷枚数より小さくないと判定した場合（Ｓ１５，Ｎｏ）、現像カートリッジ９が寿命に達したとして、現像カートリッジ９の寿命到達エラーをディスプレイ２６に表示する（Ｓ１８）。
【００９４】
ステップＳ１５において、制御装置１００は、現像累積印刷枚数が現像上限印刷枚数より小さいと判定した場合（Ｓ１５，Ｙｅｓ）、累積ドットカウントが上限ドットカウントより小さいかを判定する（Ｓ１６）。ステップＳ１６において、制御装置１００は、累積ドットカウントが上限ドットカウントより小さくないと判定した場合（Ｓ１６，Ｎｏ）、現像カートリッジ９が寿命に達したとして、現像カートリッジ９の寿命到達エラーをディスプレイ２６に表示する（Ｓ１８）。
【００９５】
ステップＳ１６において、制御装置１００は、累積ドットカウントが上限ドットカウントより小さいと判定した場合（Ｓ１６，Ｙｅｓ）、累積現像ローラ回転数が上限現像ローラ回転数より小さいかを判定する（Ｓ１７）。ステップＳ１７において、制御装置１００は、累積現像ローラ回転数が上限現像ローラ回転数より小さくないと判定した場合（Ｓ１７，Ｎｏ）、現像カートリッジ９が寿命に達したとして、現像カートリッジ９の寿命到達エラーをディスプレイ２６に表示する（Ｓ１８）。
【００９６】
ステップＳ１７において、制御装置１００は、累積現像ローラ回転数が上限現像ローラ回転数より小さいと判定した場合（Ｓ１７，Ｙｅｓ）、現像カートリッジ９は寿命に達していないと判定する。
【００９７】
次に、制御装置１００が実行するドラムカートリッジ８の寿命チェック処理の一例について、図８のフローチャートを参照して説明する。寿命チェック処理は、画像形成装置１がＯＮされてからＯＦＦされるまで繰り返し行われる。
【００９８】
図８に示すように、制御装置１００は、ドラムメモリ８５の第１ドラム記憶領域からドラム識別情報を読み出す（Ｓ２０）。
【００９９】
ステップＳ２０の後、制御装置１００は、本体メモリ１１０のテーブル（図４参照）に、読み出したドラム識別情報があるかを判定する（Ｓ２１）。
【０１００】
ステップＳ２１において、制御装置１００は、本体メモリ１１０のテーブルに読み出したドラム識別情報がないと判定した場合（Ｓ２１，Ｎｏ）、ドラムカートリッジ８が画像形成装置１に適さないものであるとして、ドラムカートリッジ８の種別エラーをディスプレイ２６に表示し（Ｓ２２）、本制御を終了する。
【０１０１】
一方、ステップＳ２１において、制御装置１００は、本体メモリ１１０のテーブルに読み出したドラム識別情報があると判定した場合（Ｓ２１，Ｙｅｓ）、本体メモリ１１０のテーブルに基づいて、ドラム識別情報に対応するドラム上限印刷枚数、上限ドラム回転数を決定する（Ｓ２３）。
【０１０２】
ステップＳ２３の後、制御装置１００は、読出処理としてドラムメモリ８５の第２ドラム記憶領域からドラム累積印刷枚数、累積ドラム回転数を読み出す（Ｓ２４）。
【０１０３】
ステップＳ２４の後、制御装置１００は、ドラム累積印刷枚数がドラム上限印刷枚数より小さいかを判定する（Ｓ２５）。ステップＳ２５において、制御装置１００は、ドラム累積印刷枚数がドラム上限印刷枚数より小さくないと判定した場合（Ｓ２５，Ｎｏ）、ドラムカートリッジ８が寿命に達したとして、ドラムカートリッジ８の寿命到達エラーをディスプレイ２６に表示する（Ｓ２７）。
【０１０４】
ステップＳ２５において、制御装置１００は、ドラム累積印刷枚数がドラム上限印刷枚数より小さいと判定した場合（Ｓ２５，Ｙｅｓ）、累積ドラム回転数が上限ドラム回転数より小さいかを判定する（Ｓ２６）。ステップＳ２６において、制御装置１００は、累積ドラム回転数が上限ドラム回転数より小さくないと判定した場合（Ｓ２６，Ｎｏ）、ドラムカートリッジ８が寿命に達したとして、ドラムカートリッジ８の寿命到達エラーをディスプレイ２６に表示する（Ｓ２７）。
【０１０５】
ステップＳ２６において、制御装置１００は、累積ドラム回転数が上限ドラム回転数より小さいと判定した場合（Ｓ２６，Ｙｅｓ）、ドラムカートリッジ８は寿命に達していないと判定する。
【０１０６】
次に、制御装置１００が実行するベルトユニット６の寿命チェック処理の一例について、図９のフローチャートを参照して説明する。寿命チェック処理は、画像形成装置１がＯＮされてからＯＦＦされるまで繰り返し行われる。
【０１０７】
図９に示すように、制御装置１００は、ベルトメモリ６５の第１ベルト記憶領域からベルト識別情報を読み出す（Ｓ３０）。
【０１０８】
ステップＳ３０の後、制御装置１００は、本体メモリ１１０のテーブル（図５参照）に、読み出したベルト識別情報があるかを判定する（Ｓ３１）。
【０１０９】
ステップＳ３１において、制御装置１００は、本体メモリ１１０のテーブルに読み出したベルト識別情報がないと判定した場合（Ｓ３１，Ｎｏ）、ベルトユニット６が画像形成装置１に適さないものであるとして、ベルトユニット６の種別エラーをディスプレイ２６に表示し（Ｓ２２）、本制御を終了する。
【０１１０】
一方、ステップＳ３１において、制御装置１００は、本体メモリ１１０のテーブルに読み出したベルト識別情報があると判定した場合（Ｓ３１，Ｙｅｓ）、本体メモリ１１０のテーブルに基づいて、ベルト識別情報に対応するベルト上限印刷枚数、上限ベルト回転数を決定する（Ｓ３３）。
【０１１１】
ステップＳ３３の後、制御装置１００は、読出処理としてベルトメモリ６５の第２ベルト記憶領域からベルト累積印刷枚数、累積ベルト回転数を読み出す（Ｓ３４）。
【０１１２】
ステップＳ３４の後、制御装置１００は、ベルト累積印刷枚数がベルト上限印刷枚数より小さいかを判定する（Ｓ３５）。ステップＳ３５において、制御装置１００は、ベルト累積印刷枚数がベルト上限印刷枚数より小さくないと判定した場合（Ｓ３５，Ｎｏ）、ベルトユニット６が寿命に達したとして、ベルトユニット６の寿命到達エラーをディスプレイ２６に表示する（Ｓ３７）。
【０１１３】
ステップＳ３５において、制御装置１００は、ベルト累積印刷枚数がベルト上限印刷枚数より小さいと判定した場合（Ｓ３５，Ｙｅｓ）、累積ベルト回転数が上限ベルト回転数より小さいかを判定する（Ｓ３６）。ステップＳ３６において、制御装置１００は、累積ベルト回転数が上限ベルト回転数より小さくないと判定した場合（Ｓ３６，Ｎｏ）、ベルトユニット６が寿命に達したとして、ベルトユニット６の寿命到達エラーをディスプレイ２６に表示する（Ｓ２７）。
【０１１４】
ステップＳ３６において、制御装置１００は、累積ベルト回転数が上限ベルト回転数より小さいと判定した場合（Ｓ３６，Ｙｅｓ）、ベルトユニット６は寿命に達していないと判定する。
【０１１５】
以上に説明したように、本実施形態の画像形成装置１および現像カートリッジ９によれば、次のような効果を奏することができる。
【０１１６】
画像形成装置１によれば、複数の現像識別情報の中から、現像識別情報に対応する現像上限印刷枚数、上限現像ローラ回転数および上限ドットカウントの少なくとも１つと、現像累積印刷枚数、累積現像ローラ回転数および累積ドットカウントの少なくとも１つを用いて、現像カートリッジ９が寿命に到達したかを判定することができる。このため、複数の種別を持つ現像カートリッジ９に対して、適正な寿命管理をすることができる。
【０１１７】
また、現像累積印刷枚数、累積現像ローラ回転数および累積ドットカウントと、を用いて現像カートリッジが寿命に到達したかを判定することで、さらに確実に寿命管理をすることができる。
【０１１８】
また、複数のドラム識別情報の中から、ドラム識別情報に対応するドラム上限印刷枚数および上限ドラム回転数の少なくとも１つと、ドラム累積印刷枚数および累積ドラム回転数の少なくとも１つを用いて、ドラムカートリッジが寿命に到達したかを判定することができる。このため、複数の種別を持つドラムカートリッジに対して、適正な寿命管理をすることができる。
【０１１９】
また、ドラム累積印刷枚数および累積ドラム回転数を用いてドラムカートリッジが寿命に到達したかを判定することで、さらに確実に寿命管理をすることができる。
【０１２０】
また、複数のベルト識別情報の中から、ベルト識別情報に対応するベルト上限印刷枚数および上限ベルト回転数の少なくとも１つと、ベルト累積印刷枚数および累積ベルト回転数の少なくとも１つを用いて、ベルトユニット６が寿命に到達したかを判定することができる。このため、複数の種別を持つベルトユニットに対して、適正な寿命管理をすることができる。
【０１２１】
また、ベルト累積印刷枚数および累積ベルト回転数を用いてベルトユニット６が寿命に到達したかを判定することで、さらに確実に寿命管理をすることができる。
【０１２２】
なお、本開示は前記実施形態に限定されることなく、以下に例示するように様々な形態で利用できる。
【０１２３】
上述した実施形態においては、消耗品の種別を識別する識別情報は、メーカ、容量、ランクなどに応じて識別情報が割り当てられていたが、識別情報を割り当てる種別の種類、数などは特に限定されるものではなく、消耗品に応じて適宜決定すればよい。
【０１２４】
上述した実施形態においては、現像カートリッジはドラムカートリッジに組み付けられた状態で装置本体に対して着脱可能であったが、現像カートリッジが装置本体に対して装着可能であってもよい。この場合には、現像カートリッジおよびドラムカートリッジは、装置本体に対して、単独で、別個に着脱される。
【０１２５】
上述した実施形態においては、現像メモリ、ドラムメモリおよびベルトメモリが第１記憶領域と第２記憶領域を有していたが、各メモリは、第２記憶領域を有さず、第１記憶領域のみを有する構成としてもよい。この場合には、第１記憶領域に識別情報のみならず、累積印刷枚数なども記憶されるようにすればよい。
【０１２６】
上述した実施形態においては、画像形成装置として、モノクロ用のレーザプリンタを例示したが、画像形成装置は、カラー用のレーザプリンタであってもよく、コピー機や複合機であってもよい。
【０１２７】
上述した実施形態においては、エラーメッセージをディスプレイ２６に表示していたが、エラーメッセージを他の場所（例えば画像形成装置に接続されたパソコンなど）に表示してもよいし、音声など他の方法でユーザーに報知してもよい。
【０１２８】
上述した実施形態および変形例で説明した各要素を、任意に組み合わせて実施することもできる。
【符号の説明】
【０１２９】
１      画像形成装置
２      装置本体
６      ベルトユニット
８      ドラムカートリッジ
９      現像カートリッジ
２６    ディスプレイ
６１    ベルト
６５    ベルトメモリ
８１    感光体ドラム
８５    ドラムメモリ
９１    現像ローラ
９５    現像メモリ
１００  制御装置
１１０  本体メモリ
【図１】
2020160414.tif 000003
【図２】
2020160414.tif 000004
【図３】
2020160414.tif 000005
【図４】
2020160414.tif 000006
【図５】
2020160414.tif 000007
【図６】
2020160414.tif 000008
【図７】
2020160414.tif 000009
【図８】
2020160414.tif 000010
【図９】
2020160414.tif 000011